(57)【要約】【課題】脱毛効率を悪化させることなく、使い勝手を良くする。駆動手段の安定した性能を得ると共に、歯車間での騒音や振動の発生を防止する。【解決手段】脱毛用ヘッド１Ｈに、駆動手段により回転駆動され、脱毛爪の開閉により毛を引き抜くための回転シリンダー４を備えると共に回転シリンダー４をその回転軸５６ｊが平行となるように少なくとも２つ以上並設して構成される脱毛ブロック２を備えた脱毛装置である。脱毛ブロック２に遥動支点３を設けて脱毛ブロック２を遥動支点３を中心として遥動可能とすると共に、回転シリンダー４のそれぞれの回転中心を結ぶ平面に平行な肌面側の面の近傍で脱毛爪が開閉するように脱毛爪の開閉手段を脱毛ブロック２と一体に遥動可能とする。脱毛ブロック２の遥動支点３と同軸に、駆動手段を構成する歯車列の一部の歯車８ｆ（９ｆ）を連結する。【選択図】図１
2010162406.tif 000002
【特許請求の範囲】
【請求項１】
脱毛用ヘッドに、駆動手段により回転駆動され、脱毛爪の開閉により毛を引き抜くための回転シリンダーを備えると共に回転シリンダーをその回転軸が平行となるように少なくとも２つ以上並設して構成される脱毛ブロックを設け、この脱毛ブロックに１つの遥動支点を設け、前記脱毛ブロックを前記遥動支点を中心として本体ケーシングに対して遥動可能とすると共に、前記回転シリンダーのそれぞれの回転中心を結ぶ平面に平行な肌面側の面の近傍で前記脱毛爪が開閉するように前記脱毛爪の開閉手段を前記記脱毛ブロックと一体に遥動可能とし、前記脱毛ブロックの遥動支点と同軸に、前記駆動手段を構成する歯車列の一部の歯車を連結したことを特徴とする脱毛装置。
【請求項２】
上記脱毛用ヘッドを本体ケーシングに対して着脱可能としたことを特徴とする請求項１記載の脱毛装置。
【発明の詳細な説明】
【技術分野】
【０００１】
本発明は、美容などの目的のために体毛を除去するために使用される脱毛装置に関するものである。
【背景技術】
【０００２】
従来から脱毛装置として、毛を引き抜く脱毛爪を備えた回転シリンダーを覆うフレームを本体ケーシングに対しスイング自在としたものが知られている（例えば、特許文献１参照）。
【０００３】
しかしながら、上記特許文献１に示される従来例にあっては、回転シリンダーを覆うフレームが遥動して肌への追従性が高められるものの、フレームが遥動することで回転シリンダーによる毛の引き抜き位置が変化してしまう問題がある。つまり、回転シリンダーにより毛を引き抜く動作は、脱毛爪が毛の根元を掴んで連続的に脱毛することで、脱毛効率が高められるものであるが、従来は回転シリンダー自体は遥動せず、フレームだけが遥動するため、脱毛用ヘッドを肌に添って動かして脱毛を行なう際にフレームが遥動することで、肌に対するフレームの向きが変化し、これに伴い回転シリンダーの毛を挟持する位置が変化してしまい、刺激が非常に大きくて苦痛となり、肌を傷めてしまうだけでなく、毛を狭持する位置が肌面から離れたところとなってしまいやすくなり、このため脱毛爪が毛の根元を掴んで連続的に脱毛するような動作ができなくなり、結果、脱毛効率を悪化させるだけでなく、使い勝手が悪いという問題がある。
【０００４】
他の従来例として、回転シリンダーの前後に配置されたローラが回転シリンダーと共に遥動自在となったものが知られている（例えば、特許文献２参照）。
【０００５】
しかしながら、上記特許文献２に示される従来例にあっは、回転シリンダーの前後に配置されたローラが回転シリンダーと共に遥動自在としているが、１つの回転シリンダーの前後にローラを配置して平面を構成しているため、例えば腋の下のような狭い箇所の毛を抜くことが困難となり、使い勝手が悪くなるという問題がある。
【先行技術文献】
【特許文献】
【０００６】
【特許文献１】特開平１１−１５１１１６号公報
【特許文献２】特表２００１−５２００６０号公報
【発明の概要】
【発明が解決しようとする課題】
【０００７】
本発明は上記の事情に鑑みてなされたものであって、その目的とするところは、複数の回転シリンダーによる脱毛位置が肌の凹凸によって変化することがなく、脱毛効率が大幅に高められると共に、回転シリンダーを直接見ながら脱毛でき、これにより、脱毛効率を悪化させることなく、使い勝手を良くすることができ、また、駆動手段の安定した性能を得ることができると共に、歯車間での騒音や振動の発生を防止できる脱毛器具を提供することにある。
【課題を解決するための手段】
【０００８】
前記の課題を解決するために、第１の発明は、脱毛用ヘッドに、駆動手段により回転駆動され、脱毛爪の開閉により毛を引き抜くための回転シリンダーを備えると共に回転シリンダーをその回転軸が平行となるように少なくとも２つ以上並設して構成される脱毛ブロックを設け、この脱毛ブロックに１つの遥動支点を設け、前記脱毛ブロックを前記遥動支点を中心として本体ケーシングに対して遥動可能とすると共に、前記回転シリンダーのそれぞれの回転中心を結ぶ平面に平行な肌面側の面の近傍で前記脱毛爪が開閉するように前記脱毛爪の開閉手段を前記記脱毛ブロックと一体に遥動可能とし、前記脱毛ブロックの遥動支点と同軸に、前記駆動手段を構成する歯車列の一部の歯車を連結したことを特徴とする。
【０００９】
第２の発明は、第１の発明において、上記脱毛用ヘッドを本体ケーシングに対して着脱可能としたことを特徴とするのが好ましい。
【発明の効果】
【００１０】
以上のように本発明は、複数の回転シリンダーで構成される脱毛ブロック及び脱毛爪の開閉手段が１つの遥動支点を中心として遥動することによって、複数の回転シリンダーによる脱毛位置が遥動によって肌の凹凸によって変化することがなく、脱毛効率が大幅に高められると共に、回転シリンダーを直接見ながら脱毛できるようになるので、脱毛効率を悪化させることなく、使い勝手が良くなるものである。また、脱毛ブロックの遥動に関わらず駆動手段の歯車列の歯車間距離を一定に保つことができるようになり、駆動手段の安定した性能を得ることができると共に、歯車間での騒音や振動の発生を防止できるものである。
【図面の簡単な説明】
【００１１】
【図１】本発明の一実施形態であり、（ａ）（ｂ）は図２（ｂ）のＢ―Ｂ線から見た遥動動作を説明する断面図である。
【図２】（ａ）は同上の脱毛用ヘッドの側面図、（ｂ）は正面図である。
【図３】同上の脱毛用ヘッドの正面断面図である。
【図４】（ａ）は同上の脱毛用ヘッドの斜視図、（ｂ）は刃カバーを取外した状態の斜視図、（ｃ）は脱毛ブロック及び駆動手段の斜視図、（ｄ）は脱毛ブロックの斜視図である。
【図５】本発明の他の実施形態であり、（ａ）（ｂ）は図６（ｃ）のＣ―Ｃ線から見た遥動動作を説明する断面図である。
【図６】（ａ）は図５の脱毛用ヘッドの側面図、（ｂ）は脱毛用ヘッドの正面図である。
【図７】図５の脱毛用ヘッドの正面断面図である。
【図８】（ａ）は図５の脱毛用ヘッドの斜視図、（ｂ）は刃カバーを取外した状態の斜視図である。
【図９】（ａ）（ｂ）は図５の脱毛ブロック及び駆動手段の斜視図、（ｃ）は脱毛ブロックの斜視図である。
【図１０】図５の回転シリンダーの縦断面図である。
【発明を実施するための形態】
【００１２】
以下、本発明の実施の形態について、図面を参照しながら説明する。
【００１３】
脱毛装置は、手で把持することができるサイズに形成されると共に駆動源であるモータを内蔵している本体ケーシング（図示せず）上に、図２、図３に示すように、２つの回転シリンダー４からなる脱毛ブロック２と、これらを回転駆動する駆動手段とを内蔵した脱毛用ヘッド１Ｈを設けて構成されている。
【００１４】
脱毛用ヘッド１Ｈは、開閉駆動される脱毛爪５ａ，３６がそれぞれ設けられ、脱毛爪５ａ，３６で挟持した毛を引き抜く２つの円筒状の回転シリンダー４を一体に備えた脱毛ブロック２と、本体側取付部７とで構成される。２つの回転シリンダー４は同じ構造をしている。図１０に示すように、回転シリンダー４には、支点板３３と、複数（本実施形態では４枚）の可動爪５ａと、一対のコの字状に曲げられた固定爪３６（実施形態では２対）と支点止め部材３４等が設けられる。支点止め部材３４には長手方向に孔３４ｄを設けてあり、支点止め部材３４と可動爪５ａとに挿通された軸４１によって支点止め部材３４と可動爪５ａの抜け止めがなされている。
【００１５】
脱毛爪５ａ，３６の開閉手段を構成する開閉レバー３９は、回転シリンダー４の回転軸５６ｊの両端側に設けたそれぞれ８ヶ所の穴から回転軸５６ｊの軸方向に摺動自在に挿入されている。また開閉レバー３９は板ばね（図示せず）によって常に付勢されている。可動爪５ａに設けた突片５ｃが開閉レバー３９に嵌め込まれている。この開閉レバー３９は、回転シリンダー４のそれぞれの回転中心を結ぶ平面に平行な肌面６側の面の近傍で脱毛爪５ａ，３６を開閉させるものであり、開閉レバー３９は本発明の後述の脱毛ブロック２と一体にスイング可能となっている。
【００１６】
一方、回転シリンダー４用の回転軸５６ｊを受けている部分には、ローラ型のカム２９が軸２９ｊによって回転自在に取り付けられている。このカム２９は、回転シリンダー４が回転する時、回転シリンダー４の周方向に並んでいる複数本の開閉レバー３９の上記他端を順次押して回転シリンダー４の軸方向に動かすことで、可動爪５ａを揺動させて、脱毛爪（可動爪５ａ，固定爪３６）を閉じさせる。回転シリンダー４をその軸回りに回転させることで可動爪５ａを開閉させれば、可動爪５ａと固定爪３６で扶持した毛は回転シリンダー４の回転に伴って引き抜く動作を行なうことになる。
【００１７】
なお、上記回転シリンダー４が２つ割れとなった構造は、特願２００２−８７０８７号公報等により公知となっており、詳細な説明は省略する。
【００１８】
ここで本発明においては、図１〜図４に示すように、駆動手段により回転駆動され、脱毛爪５ａ，３６の開閉により毛を引き抜くための回転シリンダー４を備えると共に回転シリンダー４を回転軸５６ｊが平行となるように少なくとも２つ以上並設して１つの脱毛ブロック２が構成されている。この脱毛ブロック２に１つの遥動支点３が設けられ、脱毛ブロック２が遥動支点３を中心として遥動可能に保持されている。本例では脱毛ブロック２の遥動支点３は、２つの回転シリンダー４の中間位置に配置されており、２つの回転シリンダー４，４が常に肌と密着するように遥動する構造となっている。
【００１９】
また本発明では、回転シリンダー４の回転駆動は本体ケーシング内のモータ（図示せず）の回転で行われる。つまり、モータで発生した回転運動は、図４に示す駆動手段を構成する歯車列８ａ〜８ｇを介して、２つの回転シリンダー４にそれぞれ設けた歯車部４１ｇへと各々伝達される。このとき、遥動支点３と同軸に連結された歯車８ｆは、一方の回転シリンダー４の歯車部４１ｇと他方の回転シリンダー４の歯車部４１ｇとの間に挿入されているため、２つの回転シリンダー４，４が歯車８ｆを介して同方向に回転するようになっている。
【００２０】
また、脱毛用ヘッド１Ｈは、図３に示す本体側取付け部７の下端に設けたフック９２ａが本体ケーシング（図示せず）側に取り付けられた左右一対のスライド枠の角穴内に挿入されてフック固定されるようになっている。そして、左右一対のスライド枠を操作して、本体側取付け部７を本体ケーシングから着脱できるようにしている。この着脱構造は、特願２００２−８７０８７号公報等により公知となっており、ここでは詳細な説明は省略する。
【００２１】
また、本例では、脱毛ブロック２の下端面を本体側取付け部７側に向けて弧状に突曲した凸曲面１３とし、本体側取付け部７の上端面を凸曲面１３が嵌まり込む凹曲面１４とし、凸曲面１３と凹曲面１４とを摺動自在に突き合わせた状態で、本体側取付け部７の左右一対の保持片６０に対して脱毛ブロック２２の遥動支点３が軸支されており、これにより、脱毛ブロック２は遥動支点３を中心として本体側取付け部７に対して図１（ａ）の矢印Ａで示す方向に遥動自在に保持されている。さらに凸曲面１３と凹曲面１４との対向面には、脱毛ブロック２を遥動方向Ａにおける所定位置（本実施形態では中央位置）に向かってバネ付勢するためのバネ部材が設けられている。ここでは、バネ部材がコイルバネ１１からなり、本体側取付け部７側の凹曲面１４の中央部に遥動方向Ａに対向して２つのバネ支持用凸部１６，１７を設け、コイルバネ１１の両端をバネ支持用凸部１６，１７にて支持してある。さらに、脱毛ブロック２の凸曲面１３の中央には、遥動方向Ａに長いストッパー用凹所１５が設けられ、ストッパー用凹所１５の両端がストッパ面１５ａ，１５ｂとなっている。そして、脱毛ブロック２は、図１（ａ）の状態から図１（ｂ）の一方のバネ支持用凸部１６が一方のストッパ面１５ｂに当たる状態（或いは他方のバネ支持用凸部１７が他方のストッパ面１５ａに当たる状態）になるまで遥動可能となる。またこのときコイルバネ１１の圧縮力によって脱毛ブロック２は常に所定位置のフリーの状態（図１（ａ））に戻る方向にバネ力が付与されるようになっている。
【００２２】
しかして、２つの回転シリンダー４が回転した状態で、脱毛ブロック２を肌に押し付けると、肌の凹凸に合わせて脱毛ブロック２が１つの遥動支点３を中心として遥動できると共に、脱毛ブロック２と一緒に脱毛爪５ａ，３６の開閉手段も遥動する。従って、２つの回転シリンダー４によって多数の毛を効率良く引き抜くことができると共に、脱毛ブロック２全体が肌の凹凸に合わせて遥動しても複数の回転シリンダー４による脱毛位置が変化することがないので、刺激が少なく肌を傷めてしまうことがないだけでなく、毛を狭持する位置が肌面６に近いところとなるため、脱毛爪５ａ，３６が毛の根元を掴んで連続的に脱毛する動作が可能となり、特に短い毛を挟持して抜くことが容易となり、脱毛刺激を低減できると共に、抜き残しも少なくなる。しかも、複数の回転シリンダー４を直接見ながら脱毛できるので、脱毛効率を悪化させることがなく、しかも腋の下のような狭い箇所の毛を抜くことも容易であるため、使い勝手が良くなる。さらに１つのモータで、複数の回転シリンダー４を各々駆動させることができるので、脱毛装置全体の小型化及び低コスト化を図ることができる。
【００２３】
また本例では、脱毛ブロック２の遥動支点３が複数の回転シリンダー４の中間位置に配置され、且つ、回転シリンダー４の軸方向と平行な軸線回りに遥動するので、遥動支点３３から２つの回転シリンダー４，４までの距離が等しくなるので、脱毛ブロック２の遥動時に各回転シリンダー４の肌当たりのバランスが良くなり、脱毛効率を一層高めることができる。
【００２４】
しかも、コイルバネ１１によって脱毛ブロック２は遥動方向Ａにおける所定位置にバネ付勢されているので、回転シリンダー４を肌から離したときはバネ力で脱毛ブロック２が所定位置に自動復帰するので、肌に押し付けるときの脱毛ブロック２の向きが常に一定となるため、肌への密着性を高めることができ、さらに、脱毛ブロック２が所定位置でフリーの状態にあるときにも、バネ付勢によってがたつきがなく、常に同じ位置に静止できる構造となるため、使い勝手が一層良くなる。
【００２５】
また、遥動支点３と同軸に連結された歯車８ｆは、一方の回転シリンダー４の歯車部４１ｇと他方の回転シリンダー４の歯車部４１ｇとの間に挿入されているため、２つの回転シリンダー４，４が歯車８ｆを介して同方向に回転するので、毛の生えている方向が揃っている脚や腕などで効率のよい脱毛を行なうことができる。
【００２６】
また本例では、２つの回転シリンダー４，４間の隙間に、脱毛ブロック２と一体に遥動するコーム１０が配置されている。ここでは脱毛ブロック２と一緒に遥動するようにコーム１０が設けられている。コーム１０が肌に当たることで回転シリンダー４の肌に対する滑りが良くなり、肌を傷めることのないスムーズな脱毛が可能となる。さらに、コーム１０を櫛状に形成するのが望ましい。これにより、コーム１０が肌における毛の根元部分を押さえつけて、毛を絞り出すために、整毛効果が得られ、寝た毛やくせ毛を確実に起毛させ、脱毛爪５ａ，３６への毛の導入効率を高めることができると同時に、脱毛爪５ａ，３６による毛の引き抜きがその根元から確実に行えるようになり、脱毛刺激を低減しながら、効率良く脱毛を行なうことができる。結果、肌当りが良く、常に肌を引っ張って刺激も少なく、人による使い方や部位によって影響されることなく、肌への追従が非常によくなるという利点がある。
【００２７】
また、脱毛ブロック２の遥動支点３と同軸に、駆動手段を構成する歯車列８ａ〜８ｇの一部の歯車８ｆを連結してあるので、脱毛ブロック２の遥動に関わらず歯車列８ａ〜８ｇの歯車間距離を一定に保つことができるようになり、駆動手段の安定した駆動伝達性能を得ることができると共に、歯車８ａ〜８ｇ間での騒音や振動の発生を防止できるようになる。
【００２８】
さらに、脱毛用ヘッド１Ｈのフック９２ａを本体ケーシング（図示せず）に対して着脱可能としたので、用途に合わせて脱毛用ヘッド１Ｈを付け替えることができると共に、掃除性が良くなると共に、回転シリンダー４の交換も容易となる。
【００２９】
図５〜図９は本発明の他の実施形態である。脱毛ブロック２を遥動自在に保持する構成は図１〜図４の実施形態と同様であり、対応する箇所には同一符号を付しておく。本例では、脱毛ブロック２の遥動支点３を回転シリンダー４，４間の中央よりも下側に寄せて配置している。また、脱毛ブロック２を遥動方向Ａにバネ付勢するバネ部材として、ねじりコイルバネ１２を用いている。本例では、本体側取付け部７側の凹曲面１４の中央部にねじりコイルバネ１２を収納する凹所１８を設け、脱毛ブロック２の凸曲面１３の中央に遥動方向Ａに対向して２つのバネ押え２０，２１を設けている。そして、脱毛ブロック２は、図５（ａ）の状態から図５（ｂ）の一方のバネ押え２１に当たる状態（或いは他方のバネ押え２０に当たる状態）まで遥動可能となる。またこのとき、ねじりコイルバネ１２によって脱毛ブロック２は常にフリーの状態（図５（ａ））に戻るようなバネ力が付与されるので、前記コイルバネ１１を用いた場合と同様、回転シリンダー４の肌への密着性を高めることができると共に、脱毛ブロック２がフリーの状態にあるときにもバネ付勢によってがたつきがなく、常に同じ位置に静止できる構造となる。さらに本例では、図８、図９に示すように、２つの回転シリンダー４を逆方向に回転させる駆動手段を備えている。ここでは、遥動支点３と同軸に連結された歯車９ｆは、一方の回転シリンダー４の歯車部４１ｇのみに噛み合っていると共に、一方の回転シリンダー４の歯車部４１ｇと他方の回転シリンダー４の歯車部４１ｇとが互いに噛み合っている。これにより、２つの回転シリンダー４，４は互いに逆方向に回転するようになり、毛の生えている方向がバラバラな脇などで効率のよい脱毛を行なうことができる利点がある。
【００３０】
なお、前記実施形態では、２つの回転シリンダー４，４を一体化した脱毛ブロック２を説明したが、回転シリンダー４の数は３個以上でも可能である。
【符号の説明】
【００３１】
１Ｈ  脱毛用ヘッド
２  脱毛ブロック
３  遥動支点
４  回転シリンダー
５ａ，３６  脱毛爪
８ｆ，９ｆ  歯車
１０  コーム
１１  コイルバネ
１２  ねじりコイルバネ
Ａ  遥動方向
【図１】
2010162406.tif 000003
【図２】
2010162406.tif 000004
【図３】
2010162406.tif 000005
【図４】
2010162406.tif 000006
【図５】
2010162406.tif 000007
【図６】
2010162406.tif 000008
【図７】
2010162406.tif 000009
【図８】
2010162406.tif 000010
【図９】
2010162406.tif 000011
【図１０】
2010162406.tif 000012